(57)【要約】      （修正有）【課題】天井や壁の軽天下地に残っているボード固定用ビスを迅速且つ確実に抜き取る軽天ビス抜き取り工具を提供する。【解決手段】筒形のソケット本体１にビット用挿通孔２を設けると共に、挿通孔の長さ方向の前半部を太径にすると共に、後半部をビット外周に適合するビット挿通孔とし、その後半部の途中に成形した収容孔５に小鋼球６を入れると共に、ドライバービット７に設けた凹弧状溝７ｎに多少の隙間を有して収容し、ソケット本体の前半部の開口縁の外周面を鋭角θの傾斜面１ｎに成形し、そのソケット本体の後半部に挿通孔を有する補助ソケット４を嵌合し、ソケット本体のビット挿通孔から太径孔に挿通したビットを、その先端部をソケット本体の開口縁から２〜４ｍｍ程度引っ込めたト位置とし、小鋼球と補助ソケットの係合部を介して固定した。【選択図】図３
0003228192.tif 000002
【実用新案登録請求の範囲】
【請求項１】
筒形のソケット本体（１）にビット用挿通孔（２）を設けると共に、その挿通孔（２）の長さ（Ｌ）方向の前半部（Ｌ１）を太径（２１）にすると共に、後半部（Ｌ２）をビット外周に適合するビット挿通孔（２２）とし、その後半部（Ｌ２）の途中に成形した複数の孔（５）に小鋼球（６）を入れると共に、ビットの円周凹弧状溝（７ｎ）に多少の隙間（Ｓ）を有して収容し、ソケット本体（１）の前半部（Ｌ１）の開口縁（３）の外周面を鋭角（θ）の傾斜面（１ｎ）に成形し、そのソケット本体１の後半部（Ｌ２）に挿通孔（４１）を有する補助ソケット（４）を嵌合し、ソケット本体（１）のビット挿通孔（２１）からと太径孔（２２）に挿通したビット（７）を、その先端部（７１）をソケット本体（１）の開口縁（３）から２〜４ｍｍ程度引っ込めた距離（Ｌ３）とし、で小鋼球（６）と補助ソケット（４）の係合部（４２）を介して固定したことを特徴とする軽天ビス抜き取り工具。
【請求項２】
筒形のソケット本体（１）に挿通孔（２）を設けると共に、その挿通孔（２）の長さ（Ｌ）方向の前半部（Ｌ１）を太径（２１）にすると共に、後半部（Ｌ２）をビットの外周に適合するビット挿通孔（２２）とし、当該前半部（Ｌ１）の開口縁（３）の外周面を鋭角（θ）の傾斜面（１ｎ）に成形し、ソケット本体（１）の太径孔（２１）に挿通したビット（７）の先端（７１）がソケット本体（１）の開口端から２〜４ｍｍ程度引っ込めた距離（Ｌ３）でソケット本体（１）に固着したことを特徴とする軽天ビス抜き取り工具。
【考案の詳細な説明】
【技術分野】
【０００１】
本考案は、建物の天井面又は壁面の軽鉄下地に張っているボードを張り替えのために剥がす際にその軽天下地に残ったボード固定用ビス（小さな雄ネジ）を迅速且つ確実に抜き取り除去できる工具に関する。
【背景技術】
【０００２】
一般に、店舗や一般住宅の改装において、天井面や壁面のボードを張り替えるためにボードを剥がすと、そのボードを天井下地や壁下地に固定していたビスが軽天下地に残ったままになる。
【０００３】
この場合、最近は天井下地や壁下地に板厚が０．５ｍｍほどの軽量鉄骨（以下「軽天」という。）を用い、これに先端が尖っていて頭部が十字溝のビス（以下「軽天ビス」という。）を用いることが多くなっている。
そして、天井面下地や壁面下地を残したままで新規のボードを張り付工事をする際には、残った軽天ビスが邪魔になるのでボードを除去した後に抜き取ることが行われる。
【０００４】
従来の上記ビスの抜き取り作業は、トリガー（引き金）を引くと先端のチャックに取り付けたドライバービットが回転する電動ドライバー工具（以下「電動工具」という。）を用いて行う。
【０００５】
上記の比較的重い電動ドライバーを片手で持って小さいビス頭部の溝にビット先端を差し込むことは意外と難しく、時間を要すると共に広い面積の建物内の天井や壁面の改装に際して、多数のビスを迅速に効率良く抜き取るには、熟練を要していた。
【先行技術文献】
【特許文献】
【０００６】
【特許文献１】特開２０２０−  １５１１３号公報
【特許文献２】特開２００２−  ６６９４３号公報
【特許文献３】特開２０１０−１３１６９３号公報
【考案の概要】
【考案が解決しようとする課題】
【０００７】
特許文献１は、ドライバーの回転部に装着した六角柱状の接続部の先端部に筒状の挟持部を設け、当該挟持部の内径のテーパーや突起部でねじの周縁を挟持し、ドライバーを回転させることでねじを撤去するものである。
【０００８】
しかしながら、特許文献１はねじ頭部の周縁を挟持部の円筒内径のテーパー部や突起部の摩擦力を利用するだけでは挟持力が弱くなってしまうことになる点は本考案と異なる。
【０００９】
特許文献２は、ドライバー（ネジ締付け・弛め工具）の回転部に装着した回転作用軸の先端部のアタッチメントの突状部付き係合穴でネジの頭部を係合し、ドライバーを回転させることでネジを除去するものである。
【００１０】
しかしながら、特許文献２はネジ頭部の外周を短筒部材の穴で係合摩擦を利用しているものであるから使用しているうちに穴内部が摩耗して係合力が低下してしまう点は本考案と異なる。
【００１１】
特許文献３は、本願考案と同じように天井ボードを外したときに軽量鉄骨（軽天）に残ったねじ（軽天ビス）を抜き取るねじ取り工具である。
【００１２】
しかしながら、特許文献３は軽天ビスの頭部を左右の回転ローラーで挟んでねじが抜ける方向に回転駆動してねじを抜き取る構成になっている点は本発考案と異なる。
【００１３】
本考案は、上記の各特許文献の考案とは異なり、軽天に残った軽天ビスの頭部に筒形頭部を被せるだけでビット先端が当該ビス頭部の溝に密着して差し込まれ、あとは電動工具の回転で容易に抜き取ることができるようにしたものである。
【課題を解決するための手段】
【００１４】
本考案の第１は、軽天ビス抜き取り工具において、筒形のソケット本体に挿通孔を設けると共に、その挿通孔の長さ方向の前半部を太径にすると共に、後半部をドライバービットの外周に適合する細径孔とし、当該前半部の開口縁の内外周面を傾斜に成形し、当該ソケット本体の後半部に円周凹溝を成形して小鋼球を多少の隙間を有して収容し、そのソケット本体１の後半部にドライバービット挿通孔を有する補助ソケットを嵌合し、補助ソケットの細径孔からソケット本体の細径孔と太径孔に挿通したドライバービットを、その先端をソケット本体１の口径縁から１〜４ｍｍ程度引っ込めた位置で小鋼球と補助ソケットの係合部を介して固定したものである。
【００１５】
本考案の第２は、軽天ビス抜き取り工具において、筒形のソケット本体に挿通孔を設けると共に、その挿通孔の長さ方向の前半部を太径にすると共に、後半部をドライバービットの外周に適合する細径孔とし、当該前半部の開口縁の内外周面を傾斜に成形し、ソケット本体の細径孔から太径孔に挿通したビットの先端がソケット本体の口径端から２〜４ｍｍ程度引っ込めてソケット本体に固着したものである。
【考案の効果】
【００１６】
本考案は上記の構成であるから、次のような作用効果がある。
第１に、軽天に残された軽天ビスの頭部溝にソケット本体の開口をあてがいさえすれば開口内のビット先端を差し込めるから簡単迅速に抜き取ることができる。
【００１７】
第２に、ソケットの開口内部が傾斜して少し軽天ビス頭部外径より大径になっていると共に、ビットの先端がソケット開口端から２ｍｍないし４ｍｍ程引っ込んでいるから、軽天に残っている軽天ビス頭部にソケット本体の開口を確実に当てることができる。
【００１８】
第３に、ソケット本体に円周凹溝に小鋼球が多少の隙間を有して収容しているから、軽天に残っている軽天ビスにソケット本体の開口縁を当てたときに僅かながらでも緩衝の役目をなす効果がある。
【００１９】
第４に、ソケット本体を軽天ビスに被せるだけで簡単確実にビット先端を軽天ビス頭部の溝に差し込めるから手指を軽天ビスに一切触れることがないので、指に刺したりすることがなく安全である。
【００２０】
第５に、本考案の軽天ビス抜きビットにより従来の同じ作業に比べて少なくとも５分の１から７分の１程の作業時間の短縮が可能になった。以上の結果、本考案により、特に解体作業に画期的な作業効率が向上した。、
【図面の簡単な説明】
【００２１】
【図１】本考案に係る軽天ビス抜き取り工具の正面図である。
【図２】図１の背面図である。
【図３】図１の３−３線に沿う縦断面図である。
【図４】図３の４−４線に沿う断面図である。
【図５】プラスビットの一部を示す拡大側面図である。
【図６】本考案のソケット本体の開口縁部の一部破断側面図である。
【図７】図１〜図３に示すものとは別の実施例を示す縦断面図である。
【図８】廃棄用ボードを取り外してビスが残った天井軽天の斜視図である。
【図９】天井軽天に残った軽天ビスの抜き取り作業を示す斜視図である。
【図１０】壁面軽天に残った軽天ビスの抜き取り作業を示す斜視図である。
【考案を実施するための形態】
【００２２】
本考案による軽天ビス抜き取り工具は、天井ボードや壁面ボードを剥がした際にその天井軽天や壁軽天の表面に突出して残っている軽天ビスを、素早く簡単に抜き取ることができるようにする、という課題を電動工具に装着したビット先端に軽天ビスの頭部をすっぽり被せるソケット本体に挿通して当該ビスの十字溝に的に外れることなく差し込めるようにして可能にした。
【実施例】
【００２３】
本考案の実施例を図面に即して説明する。図１〜図４において、１は筒形のソケット本体であり、その全長Ｌの前半部Ｌ１をドライバービットの先端部外径がルーズに位置する大径２１とし、後半部Ｌ２をドライバービットの外周（図示例で六角形）に挿通するビット用小径孔２２として貫通してある。
【００２４】
上記のソケット本体１の開口縁３は、外周面に鋭角の角度θ（例えば２０〜４０°）の傾斜面１ｎを成形する（図３）。
【００２５】
図３において、４はソケット本体の１の後半部Ｌ２の外周に嵌合した補助ソケットである。その補助ソケット４には、ソケット本体１の後半部Ｌ２の外径面に接する内径４１と収容孔５に収容した小鋼球６に接する内径４２を成形してある。図中４３は小鋼球６に接する内径４２から後半部Ｌ２の外径面に接する内径４１の間に形成してある大径に至る斜面を示す。また、４３は小鋼球６に接する内径４２から後半部Ｌ２の外径面に接する内径４１の間に成形した大径部に至る斜面である。図中ｂは補助ソケット４内に収容した圧縮コイルバネである。
【００２６】
５はソケット本体１の後半部Ｌ２に成形した小鋼球６の収容孔である。当該収容孔５は、ソケット本体１に円周方向に１又は複数個所（図示例で２個所）に設けてある（図３及び図４）。
【００２７】
７は天井軽天ビス１０の抜き取り用のドライバービットであり、その長さ方向の途中に凹弧状溝７ｎを成形してある。そのビット先端７１から凹弧状溝７ｎまでの長さＬ′は、図１に示すように当該ビット７をソケット本体１にセットしたときに、開口縁３から２〜４ｍｍ程度引っ込んだ位置Ｌ３になるように設定してある（図３及び図６、図７）。
【００２８】
図７はソケット本体１の大径孔２１・小径孔２２に挿通したドライバービット７をビット用孔２２に強力接着剤１１又は溶接もしくはカシメ等によって固着した構造のものを示す。
【００２９】
図８〜図１０において、８は天井面の下地となる軽天、９は軽天８にねじ込んで残っている十字溝頭部の軽天ビス、１０は軽天ビス９を軽天から抜き取るための電動工具である。
【００３０】
[具体的な作業工程]
上記の実施例に基づく天井ボードＢ又は壁面ボードの準備から取り換え工事例は次のとおりである。
【００３１】
第１に、図８のように天井軽天８に張設されているボードＢを作業員の手で引き剥がす。
第２に、図１のようにソケット本体１にドライバービット７をセットした状態でビット根元を電動ドライバー１０の回転装着部に差し込んで装着する。
第３に、天井軽天８（又は壁軽天８′）にねじ込まれている軽天ビス９の頭部にソケット本体１の先端をあてがう。
第４に、当該ビス頭部にあてがったソケット本体１は大径の開口内径ｒに誘導されて内部のビット先端７１が軽天ビス９の十字溝に確実に差し込まれる。
第５に、トリガーを引いて電動ドライバー１０をねじと逆転方向に駆動させて軽天ビスを抜き取る。
第６に、抜き取られた軽天ビス９は、床に落下させておき、一連の作業が終了したあとに拾い集めて処理する。
第７にソケット本体１からドライバービット７を抜き取る場合は、図１の状態から補助ソケット４を圧縮コイルバネｂに抗して後方（右方向）に引くと、小径部４２で押さえていた小鋼球６を傾斜面４３に沿って外して大径部が位置するので円周凹弧状条溝７ｎが小鋼球６から外れたところでドライバービット７を引き抜くことができる。
【産業上の利用可能性】
【００３２】
本考案に係る軽天ビス抜き取り工具は、天井軽天や壁軽天の残留ビスの抜き取り除去に好適であるが、それ以外の場所での構築物に残っているビスの除去にも適用できて用途の拡大が図れる。
【符号の説明】
【００３３】
１…ソケット本体
２…挿通孔
２１…小径の挿通孔
２２…大径の挿通孔
３…開口縁
４…補助ソケット
５…小鋼球収容孔
６…小鋼球
７…ドライバービット
７１…ビット先端部
７ｎ…凹弧状溝
８…天井軽天
８′…壁軽天
９…プラス溝付き軽天ビス
１０…電動ドライバー
１１…溶接又は強力接着剤
Ｂ…天井ボード
ｂ…圧縮コイルバネ
Ｌ…ソケット本体の全長
Ｌ１…ソケット本体の前半部
Ｌ２…ソケット本体に後半部
Ｌ３…開口縁から引っ込めたビット先端までの距離
Ｌ′…開口縁から円周凹弧状溝中心までの距離
ｒ…ソケット本体の開口内径
【図１】
0003228192.tif 000003
【図２】
0003228192.tif 000004
【図３】
0003228192.tif 000005
【図４】
0003228192.tif 000006
【図５】
0003228192.tif 000007
【図６】
0003228192.tif 000008
【図７】
0003228192.tif 000009
【図８】
0003228192.tif 000010
【図９】
0003228192.tif 000011
【図１０】
0003228192.tif 000012
【手続補正書】
【提出日】令和2年7月13日(2020.7.13)
【手続補正１】
【補正対象書類名】実用新案登録請求の範囲
【補正対象項目名】全文
【補正方法】変更
【補正の内容】
【実用新案登録請求の範囲】
【請求項１】
筒形のソケット本体（１）にビット用挿通孔（２）を設けると共に、その挿通孔（２）の長さ（Ｌ）方向の前半部（Ｌ１）を大径孔（２１）にすると共に、後半部（Ｌ２）をビットの外周に適合するビット挿通用小径孔（２２）とし、その後半部（Ｌ２）の途中に成形した複数の孔（５）に小鋼球（６）を入れると共に、ビットの円周凹弧状溝（７ｎ）に多少の隙間（Ｓ）を有して収容し、ソケット本体（１）の前半部（Ｌ１）の開口縁（３）の外周面を鋭角（θ）の傾斜面（１ｎ）に成形し、そのソケット本体（１）の後半部（Ｌ２）に内径（４１）を有する補助ソケット（４）を嵌合し、ソケット本体（１）のビット挿通用小径孔（２２）から大径孔（２１）に挿通したビット（７）を、その先端部（７１）をソケット本体（１）の開口縁（３）から２〜４ｍｍ程度引っ込めた距離（Ｌ３）とし、小鋼球（６）と補助ソケット（４）の内径（４２）を介して固定したことを特徴とする軽天ビス抜き取り工具。
【請求項２】
筒形のソケット本体（１）に挿通孔（２）を設けると共に、その挿通孔（２）の長さ（Ｌ）方向の前半部（Ｌ１）を大径孔（２１）にすると共に、後半部（Ｌ２）をビットの外周に適合する小径孔（２２）とし、当該前半部（Ｌ１）の開口縁（３）の外周面を鋭角（θ）の傾斜面（１ｎ）に成形し、ソケット本体（１）の大径孔（２１）に挿通したビット（７）の先端部（７１）がソケット本体（１）の開口縁から２〜４ｍｍ程度引っ込めた距離（Ｌ３）で当該ビット（７）をソケット本体（１）に固着したことを特徴とする軽天ビス抜き取り工具。
【手続補正２】
【補正対象書類名】明細書
【補正対象項目名】００１４
【補正方法】変更
【補正の内容】
【００１４】
本考案の第１は、軽天ビス抜き取り工具において、筒形のソケット本体にビット用挿通孔を設けると共に、その挿通孔の長さ方向の前半部を大径孔にすると共に、後半部をドライバービットの外周に適合する小径孔とし、その後半部の途中に成形した複数の孔に小鋼球を入れると共に、ビットの円周凹弧状溝に多少の隙間を有して収容し、ソケット本体の前半部の開口縁の外周面を鋭角の傾斜面に成形し、そのソケット本体の後半部に内径を有する補助ソケットを嵌合し、ソケット本体のビット挿通用小径孔から大径孔に挿通したビットを、その先端部をソケット本体の開口縁から２〜４ｍｍ程度引っ込めた距離とし、小鋼球と補助ソケットの内径を介して固定したものである。
【手続補正３】
【補正対象書類名】明細書
【補正対象項目名】００１５
【補正方法】変更
【補正の内容】
【００１５】
本考案の第２は、軽天ビス抜き取り工具において、筒形のソケット本体にビット用挿通孔を設けると共に、その挿通孔の長さ方向の前半部を大径孔にすると共に、後半部をドライバービットの外周に適合する小径孔とし、当該前半部の開口縁の外周面を鋭角の傾斜面に成形し、ソケット本体の小径孔から大径孔に挿通したビットの先端部がソケット本体の開口縁から２〜４ｍｍ程度引っ込めた距離で当該ビットをソケット本体に固着したものである。
【手続補正４】
【補正対象書類名】明細書
【補正対象項目名】００２３
【補正方法】変更
【補正の内容】
【００２３】
本考案の実施例を図面に即して説明する。図１〜図４において、１は筒形のソケット本体であり、その挿通孔２の全長Ｌの前半部Ｌ１ｚｓをドライバービットの先端部外径がルーズに位置する大径孔２１とし、後半部Ｌ２をドライバ―ビットの外周（図示例で六角形）に挿通するビット用小径孔２２として貫通してある。
【手続補正５】
【補正対象書類名】明細書
【補正対象項目名】００２８
【補正方法】変更
【補正の内容】
【００２８】
図７はソケット本体１の大径孔２１・小径孔２２に挿通したドライバービット７をビット用小径孔２２の端部に強力接着剤１１又は溶接もしくはカシメ等によって固着した構造のものを示す。
【手続補正６】
【補正対象書類名】明細書
【補正対象項目名】００３３
【補正方法】変更
【補正の内容】
【００３３】
１…ソケット本体
２…挿通孔
２１…大径孔
２２…小径孔
３…開口縁
４…補助ソケット
５…小鋼球収容孔
６…小鋼球
７…ドライバービット
７１…ビット先端部
７ｎ…凹弧状溝
８…天井軽天
８′…壁軽天
９…プラス溝付き軽天ビス
１０…電動ドライバー
１１…溶接又は強力接着剤
Ｂ…天井ボード
ｂ…圧縮コイルバネ
Ｌ…ソケット本体の全長
Ｌ１…ソケット本体の前半部
Ｌ２…ソケット本体に後半部
Ｌ３…開口縁から引っ込めたビット先端までの距離
Ｌ′…開口縁から円周凹弧状溝中心までの距離
ｒ…ソケット本体の開口内径